(57)【要約】【課題】  本発明の課題は、高齢者の健康の維持及び増進を推進する特に高齢者向けの戸外活動応援システムを提供することにある。【解決手段】  この課題は、管理センタ２並びに各厚生施設Ａのマイレージ端末機ａ及び各マイレージポイント協賛店Ｂのマイレージ端末機ｂが、通信回線１を介して接続されている、マイレージを利用した戸外活動応援システムにあって、厚生施設Ａ及び／又はマイレージポイント協賛店Ｂのマイレージ端末機ａ，ｂにマイレージカードが差し込まれると、利用者の戸外活動期間が、通信回線１を介して厚生施設Ａ及び／又はマイレージポイント協賛店Ｂ及び／又はマイレージポイント還元センタ５で記録され、この戸外活動期間に相当するポイント数が、厚生施設Ａ及び／又はマイレージポイント協賛店Ｂ及び／又はマイレージポイント還元センタ５で管理され、その利用者は、上記ポイント数及び／又は累積されたポイント数に応じて還元を行うことによって解決される。【選択図】    図１
2005141364.tif 000002
【特許請求の範囲】
【請求項１】
管理センタ（２）並びに各厚生施設（Ａ）のマイレージ端末機（ａ）及び各マイレージポイント協賛店（Ｂ）のマイレージ端末機（ｂ）が、通信回線（１）を介して接続されている、マイレージを利用した戸外活動応援システムにおいて、
厚生施設（Ａ）及び／又はマイレージポイント協賛店（Ｂ）のマイレージ端末機（ａ，ｂ）にマイレージカードが差し込まれると、利用者の戸外活動期間が、通信回線（１）を介して厚生施設（Ａ）及び／又はマイレージポイント協賛店（Ｂ）及び／又はマイレージポイント還元センタ（５）で記録され、
この戸外活動期間に相当するポイント数が、厚生施設（Ａ）及び／又はマイレージポイント協賛店（Ｂ）及び／又はマイレージポイント還元センタ（５）で管理され、
その利用者は、上記ポイント数及び／又は累積されたポイント数に応じて還元を行うことを特徴とする戸外活動応援システム。
【請求項２】
通信回線（１）は、インターネットであることを特徴とする請求項１に記載の戸外活動応援システム。
【請求項３】
管理センタ（２）は、利用者のマイレージカードに関するデータを記憶管理するマイレージデータベース（３）及び利用者の基本情報を記憶管理する健康管理データベース（４）を有することを特徴とする請求項１又は２に記載の戸外活動応援システム。
【請求項４】
ポイント数は、利用者の活動内容及び／又は参加形態及び／又は年齢に応じて増減されることを特徴とする請求項１〜３のいずれか１項に記載の戸外活動応援システム。
【請求項５】
ポイント数及び／又は累積のポイント数は、所定の期間の経過後に利用者に通知されることを特徴とする請求項１〜４のいずれか１項に記載の戸外活動応援システム。
【請求項６】
ポイント数の還元は、招待券及び／又は優待券及び／又は割引券及び／又は物品によって実施されることを特徴とする請求項１〜５のいずれか１項に記載の戸外活動応援システム。
【請求項７】
利用者が取得したポイント数及び／又は累積のポイント数の増減が、マイレージポイント還元センタ（５）で記憶管理されることを特徴とする請求項１〜６のいずれか１項に記載の戸外活動応援システム。
【発明の詳細な説明】
【技術分野】
【０００１】
本発明は、マイレージを利用した特に高齢者向けの戸外活動応援システムに関する。
【背景技術】
【０００２】
人口の高齢化に伴い、寝たきりや痴呆の高齢者の急増、介護期間の長期化及び介護する家族の高齢化といった問題が今後予測される。このような問題に対処するため、介護支援に関する多くの措置が公知である。例えば、本出願人による介護システム（特許第3299213 号）が公知である。この発明の介護システムによれば、非常に多数の被介護者の在宅介護サービスの実施状況を確実に、しかも簡単に確認して監視できる。
【０００３】
一方で、このような介護支援の施策との連携を図りながら総合的に介護を支援することが提唱されている。
【発明の開示】
【発明が解決しようとする課題】
【０００４】
本発明の課題は、高齢者の健康の維持及び増進を推進する特に高齢者向けの戸外活動応援システムを提供して、上述した問題を軽減することにある。
【課題を解決するための手段】
【０００５】
この課題は、管理センタ２並びに各厚生施設Ａのマイレージ端末機ａ及び各マイレージポイント協賛店Ｂのマイレージ端末機ｂが、通信回線１を介して接続されている、マイレージを利用した戸外活動応援システムにあって、厚生施設Ａ及び／又はマイレージポイント協賛店Ｂのマイレージ端末機ａ，ｂにマイレージカードが差し込まれると、利用者の戸外活動期間が、通信回線１を介して厚生施設Ａ及び／又はマイレージポイント協賛店Ｂ及び／又はマイレージポイント還元センタ５で記録され、この戸外活動期間に相当するポイント数が、厚生施設Ａ及び／又はマイレージポイント協賛店Ｂ及び／又はマイレージポイント還元センタ５で管理され、その利用者は、上記ポイント数及び／又は累積されたポイント数に応じて還元を行うことによって解決される。
【発明の効果】
【０００６】
本発明の戸外活動応援システムは、以下の有利な効果を奏する：
・高齢者の閉じこもり及び寝たきりを防止する。
・高齢者に生き甲斐を持たせる機会を与える。
・高齢者の自己啓発を支援する。
【０００７】
以上により、高齢者の健康の維持及び増進を促進し、ひいては上述した介護システム等の措置の負担を軽減することができる。
【発明を実施するための最良の形態】
【０００８】
以下に、本発明を発明の実施の形態に基づいて詳しく説明する。
【０００９】
図１は、本発明の戸外活動支援システムを示す。この戸外活動支援システムの場合、管理センタ２並びに各厚生施設Ａのマイレージ端末機ａ及び各マイレージポイント協賛店Ｂのマイレージ端末機ｂが、通信回線（インターネット）１を介して接続されている。さらにマイレージポイント還元センタ５が、管理センタ２に接続されている。
【００１０】
通信回線１は、ＡＤＳＬや光ファイバ等のブロードバンドに対応したインターネットである。また、この戸外活動支援システム専用の通信回線を敷設してもよい。
【００１１】
管理センタ２は、例えば保健センタ，在宅介護支援センタや東京都国保連合会が該当する。この管理センタ２内には、マイレージデータベース３及び健康管理データベース４が設けられている。マイレージデータベース３は、後で詳しく説明する利用者（例えば、高齢者）のマイレージカードに関するデータが記憶管理されている。健康管理データベース４は、利用者の基本情報、例えば氏名，年齢，性別，住所，連絡先，健康保健の種類，年金の種類，健康受信状況，かかりつけ医等に関する情報が記憶されている。
【００１２】
マイレージポイント還元センタ５は、同じく後で詳しく説明するマイレージカードに関するデータに基づいてマイレージポイントを処理管理して、所定の情報を必要に応じて利用者に通知する。
【００１３】
厚生施設Ａは、例えば公民館，コミュニティーセンタ，保健センタ，文化センタが該当する。各厚生施設Ａには、利用者が使用するマイレージ端末機ａが設置されている。マイレージポイント協賛店Ｂ（以下、協賛店Ｂと略記する）は、例えば温泉施設，デパート等の商品販売店，理髪店，スポーツクラブ，ゴルフ場が該当する。同様に、各マイレージポイント協賛店Ｂには、マイレージ端末機ｂが設置されている。
【００１４】
なお、利用者が使用するマイレージカードは、公知のバーコードを印刷したカードや磁気ストライプを内蔵したカードが使用できる。
【００１５】
以下で、利用者が戸外活動に参加してからポイントを還元してもらうまでの過程を詳しく説明する。
（１）その利用者に固有のマイレージカードを携行した利用者が、希望の戸外活動を提供する厚生施設Ａ又は協賛店Ｂの端末装置ａ又はｂにマイレージカードを差し込む。
【００１６】
表１に、戸外活動の具体的な例及び後で説明するこれらの戸外活動に相当するポイントを列挙する。
【００１７】
【表１】
2005141364.tif 000003
なお、スポーツとして例えば、ゲートボール，ゴルフ，スキーが挙げられる。室内遊戯として例えば、囲碁，将棋，麻雀が挙げられる。サークル活動として例えば、コーラス，舞踊，生け花，茶道が挙げられる。講習会として、例えばパソコン教室が挙げられる。健康づくりイベントとして、例えば温泉利用，健診が挙げられる。協賛店へ来店の例として、例えばレストラン，理髪店，クリーニング，公衆浴場，飲食店が挙げられる。
【００１８】
また、ポイント数は、活動内容に応じて増減するほかに個人参加かグループ参加かで増減してもよいし、又は年齢の区分に応じて増減してもよい。例えば、80歳以上90歳未満の利用者のポイント数を70歳以上〜80歳未満の利用者のポイント数の1.5 倍とか２倍等にするといったように、利用者の年代別にポイントを調整することも可能である。
（２）マイレージカードがマイレージ端末機ａ又はｂに差し込まれると、このマイレージ端末機ａ又はｂがこのマイレージカードの差込み日時、すなわち利用者の戸外活動の開始日時を記録する。
（３）マイレージカードがマイレージ端末機ａ又はｂに再び差し込まれると、このマイレージ端末機ａ又はｂがこのマイレージカードの差込み日時、すなわち利用者の戸外活動の終了日時を記録する。
（４）この開始日時とこの終了日時とから算出された利用者の戸外活動期間に相当するポイント数を通信回線１を介して管理センタ２及び／又はマイレージポイント還元センタ５に送信する。
（５）管理センタ２及び／又はマイレージポイント還元センタ５は、このポイント数をマイレージポイント還元センタ５に送信する。
（６）マイレージポイント還元センタ５は、このポイント数を記憶管理し、例えば月ごとにポイント数と累積のポイント数を利用者に通知する。なお、その利用者は、上記ポイント数に応じて招待券，優待券，割引券やバッグ，ラジオ，デジカメのような物品等の還元が可能である。
（７）利用者が取得したポイント数をこの還元によって使用した場合、その消費ポイント数が、マイレージポイント還元センタ５に送信され、その結果がマイレージポイント還元センタ５で記憶管理される。
【００１９】
ここの説明では、東京都が戸外活動支援システムを管理して、各地区（例えば、各区や市）に本システムをリンクさせているが、例えば全国を管理するセンタが、本システムを管理して、各都道府県に本システムをリンクさせることもできる。これにより、都道府県内又は全国共通のポイント利用も可能となる。
【００２０】
以上で説明した実施の形態のシステム及び過程は、１つの例にすぎず、マイレージポイントを処理して利用者に還元できる構成であれば、任意の公知技術を利用することが可能である。
【産業上の利用可能性】
【００２１】
本発明の戸外活動支援システムは、病気や事故後の患者のリハビリテーションに対しても適用できる。
【図面の簡単な説明】
【００２２】
【図１】本発明の戸外活動支援システムを示す。
【符号の説明】
【００２３】
１  通信回線（インターネット）
２  管理センタ
３  マイレージデータベース
４  健康管理データベース
５  マイレージポイント還元センタ
ａ  マイレージ端末機
Ａ  厚生施設
ｂ  マイレージ端末機
Ｂ  マイレージポイント協賛店
【図１】
2005141364.tif 000004